(57)【要約】【課題】  薄肉部を介して折曲板を垂設することにより、指掛けリングの引張り上げ時に、指先の腹にやわらかく接圧すると同時に、指掛け部が上方に折れ曲がって厚くなり、引張り易いようにした指掛けリングを提供すること。【解決手段】  閉蓋具に注出口を開口するため、注出筒の隔壁除去部に連結片を介して連接された指掛けリングであって、連結片の対向側に位置する指掛け部の下端縁に、薄肉部を介して折曲板を垂設したことを特徴とする。【選択図】  図１
2010126222.tif 000002
【特許請求の範囲】
【請求項１】
閉蓋具に注出口を開口するため、注出筒の隔壁除去部に連結片を介して連接された指掛けリングであって、
連結片の対向側に位置する指掛け部の下端縁に、薄肉部を介して折曲板を垂設したことを特徴とする指掛けリング。
【請求項２】
指掛け部の下端縁に、薄肉部を介して設けた折曲板を複数垂設したことを特徴とする請求項１記載の指掛けリング。
【発明の詳細な説明】
【技術分野】
【０００１】
本発明は、キャップ、中栓等の容器の閉蓋具に設けられた注出筒の隔壁に、注出口を開口するための指掛けリングに関するものである。
【背景技術】
【０００２】
閉蓋具に注出口を開口するため注出筒の隔壁除去部に連結片を介して連接された指掛けリングであって、連結片との連結部の対向側に位置する指掛け部の下端縁に緩衝板を垂設した指掛けリングは、従来より知られている（例えば、特許文献１参照）。
【特許文献１】特開２０００−３１３４６６号公報
【発明の開示】
【発明が解決しようとする課題】
【０００３】
特許文献１記載の従来の指掛けリングは、指掛けリングの引張り上げ時に、指掛けリングの内面が指先の腹の広い範囲で面接触し、指先の腹にやわらかく接圧するが、緩衝板が指掛け部の下端縁から垂設されているので、撓みにくく、緩衝板の下端縁が指先と線接触となって細紐が引っかかるような感覚を与えるということもあり、また、指掛けリングの引張り上げがスムースに行えない場合もあった。
【０００４】
本発明は、上記問題を解決することを課題として、薄肉部を介して折曲板を垂設することにより、指掛けリングの引張り上げ時に、指先の腹にやわらかく接圧すると同時に、指掛け部が上方に折れ曲がって厚くなり、引張り易いようにした指掛けリングを提供することを目的とする。
【課題を解決するための手段】
【０００５】
本発明は、上記の問題を解決するため、指掛けリングとして、閉蓋具に注出口を開口するため、注出筒の隔壁除去部に連結片を介して連接された指掛けリングであって、連結片の対向側に位置する指掛け部の下端縁に、薄肉部を介して折曲板を垂設したことを特徴とする構成を採用する。
【０００６】
指掛けリングの別実施例として、指掛け部の下端縁に、薄肉部を介して設けた折曲板を複数垂設したことを特徴とする構成を採用する。
【発明の効果】
【０００７】
指掛けリングの指掛け部の下端に、薄肉部を介して折曲板を垂設したので、指掛けリングの引張り上げ時に、指掛け部と折曲板の内面が指先の腹の広い範囲に接触し、やわらかく接圧すると同時に折曲板が折り返され、指に触れる部分が厚くなるので、指掛けリングを引張り上げ、注出口を開口することが、何等の抵抗感もなくスムーズに行われるようになった。
【発明を実施するための最良の形態】
【０００８】
次に、本発明の指掛けリングについて、実施例をあげ、図面を参照して説明する。
【実施例１】
【０００９】
図１〜４において、Ａはキャップ本体、Ｂは開閉蓋、Ｃはヒンジである。
【００１０】
図１に示すように、注出キャップは、キャップ本体Ａと、キャップ本体ＡにヒンジＣを介して開閉自在に取着された開閉蓋Ｂとからなっている。
キャップ本体Ａは、外筒１と上壁２、内筒３とからなる嵌着部を具えており、上壁２の上面には上端外周に膨出部４を設けた嵌合リング５が立設されている。
【００１１】
内筒３の下方は内側に傾斜し、その下端には、内方に突出する環状の連結板６が設けられ、連結板６の内周縁からは上方に延びるように注出筒７が連設されている。
注出筒７は、上端に注出口唇部８が形成され、中間下方部には、隔壁９が設けられている。
隔壁９の下面には、注出口１０を開口するための切断溝１１が穿設されており、その内側は除去部１２となっており、除去部１２の上面には、連結片１３を介して指掛けリング１４が連設されている。
【００１２】
図２に示すように、指掛けリング１４の連結片１３との連結部に対向する反対側部分は、指掛け部１５となっており、該指掛け部１５には、その下端縁から指先の腹にほぼ相当する範囲にわたって、薄肉部１６を介して折曲板１７が垂設されている。
折曲板１７の下端縁は、少し丸められ、従来のようなエッジとなっていない。
【００１３】
開閉蓋Ｂは、ヒンジＣを介してキャップ本体Ａに開閉自在に取着されており、頂壁１８と、側周壁１９とからなっている。
頂壁１８の中央部には、閉蓋時に注出口唇部８を密封する密封リング２０が立設されており、側周壁１９の端縁内周には、周縁を内方に膨出させ、嵌合リング５に当接する段部２１が設けられている。
【００１４】
次に、本実施例の指掛けリングの使用形態と作用効果について、説明する。
キャップ本体Ａは、内容液を充填した容器の容器口部に打栓により嵌着され、容器を密封する。
容器の使用開始にあたって、開閉蓋Ｂを開き、指掛けリング１４を上方に引張り上げ、隔壁９の除去部１２を取り去り、注出口１０を開口する。
【００１５】
そのために、切断溝１１を切り裂くための引張り力が必要となり、その力は、指先により指掛け部１５を通じて働くことになる。
指掛けリング１４を引張り上げるときに、指先は、まず、折曲板１７の下端に触れるが、下端縁は、従来のように鋭くないので、痛みを感じることはない。
そして、折曲板１７は、薄肉部１６を介して外側に折り返され、最終的には、図３に示すように、薄肉部１６で折り曲げられ、重ね合わされて厚く形成されるので、引張り力が指掛け部１５に掛かり易くなり、除去部１２を容易に取り去ることができる。
【実施例２】
【００１６】
次に、折曲板の構成を変更した第２実施例について説明する。
第１実施例と同一の構成については、図面、説明を省略し、以下相違点を中心に説明する。
【００１７】
図４に示すように、指掛けリング１４は、指掛け部１５の下端縁から薄肉部１６を介して複数の折曲板１７ａが設けられている。
使用時には、第１実施例と同一の作用効果が得られるとともに、折曲板１７ａが複数設けられ、分割されているので、弧状になっている折曲板１７ａがより一層撓みやすくなっている。
【００１８】
上記実施形態では、キャップ本体に、ヒンジによって開閉蓋を開閉自在に取着した注出キャップに採用した指掛けリングについて説明したが、本発明の指掛けリングは、容器の使用前に切り裂き線に沿って注出口を開口するようにした各種のキャップ、中栓、その他の閉蓋具に適用できる。
【産業上の利用可能性】
【００１９】
本発明は、指掛けリングの指掛け部の下端に薄肉部を介して折曲板を垂設したから、指掛けリングの引張り上げ時に、指掛け部と折曲板の内面が指先の腹の広い範囲に接触し、やわらかく接圧すると同時に折曲板が外側に折り返され、指に触れる部分が厚くなるので、指掛けリングを引張り上げ、注出口を開口することが何等の抵抗感もなくスムーズに行われるので、各種のキャップ、中栓、その他の閉蓋具に、広く利用できるようになった。
【図面の簡単な説明】
【００２０】
【図１】開閉蓋を開いた注出キャップの縦断立面図である。
【図２】指掛けリングの斜視図である。
【図３】指掛けリングの作動状態を示す説明図で、（ａ）は縦断面図、（ｂ）は指掛けリングの折曲板が折り返された状態を示す斜視図である。
【図４】第２実施例の指掛けリングの斜視図である。
【符号の説明】
【００２１】
Ａ    キャップ本体
Ｂ    開閉蓋
Ｃ    ヒンジ
１    外筒
２    上壁
３    内筒
４    膨出部
５    嵌合リング
６    連結板
７    注出筒
８    注出口唇部
９    隔壁
１０  注出口
１１  切断溝
１２  除去部
１３  連結片
１４  指掛けリング
１５  指掛け部
１６  薄肉部
１７、１７ａ  折曲板
１８  頂壁
１９  側周壁
２０  密封リング
２１  段部
【図１】
2010126222.tif 000003
【図２】
2010126222.tif 000004
【図３】
2010126222.tif 000005
【図４】
2010126222.tif 000006